(57)【要約】【課題】  ごみ投入口から誤ってごみピット内に転落した作業者を迅速に、かつ安全に救出できるごみ処理施設における救助装置を提供する。【解決手段】  ごみピット１内とごみピット１外の救出領域Ｓとの間で移動可能に配設された救助ケージ４を支持する救助ケージ支持手段５と、前記救助ケージ４を前記ごみピット１内とごみピット１外の救出領域Ｓとの間で往復可能に横移動させる救助ケージ横移動手段６と、前記救助ケージ４を上下方向へ移動させる救助ケージ昇降駆動手段７とを備える。【選択図】  図３
2006006799.tif 000002
【特許請求の範囲】
【請求項１】
ごみ収集車が停止するプラットホ−ムの先端に位置して、ごみピットの側壁に複数のごみ投入口が並設されているごみ処理施設における救助装置であって、
前記ごみピット内とごみピット外の救出領域との間で移動可能に配設された救助ケージを支持する救助ケージ支持手段と、
前記救助ケージを前記ごみピット内とごみピット外の救出領域との間で横移動させる救助ケージ横移動手段と、
前記救助ケージを昇降移動させる救助ケージ昇降駆動手段と、
を備えていることを特徴とするごみ処理施設における救助装置。
【請求項２】
救助ケージ支持手段および救助ケージ横移動手段は、前記ごみピット内とごみピット外の救出領域との間にわたる壁面近傍に敷設された走行レールと、前記走行レールに懸架された状態で自走移動可能な走行装置と、前記走行装置から前記救助ケージを吊持する索条体と、を備えたことを特徴とする請求項１に記載のごみ処理施設における救助装置。
【請求項３】
前記救助ケージ昇降駆動手段は、前記救助ケージに装備され、前記索条体を巻き取りおよび巻き戻し可能な巻取装置を備えた請求項２に記載のごみ処理施設における救助装置。
【請求項４】
前記走行レールは、前記ごみピット内を臨む操作室の窓を清掃する清掃装置を横移動させる清掃装置用走行レールとして共用される請求項２または３に記載のごみ処理施設における救助装置。
【請求項５】
前記救助ケージには、前記ごみピット内のごみ堆積面に着地した際に前記救助ケージを水平状態に保持する水平保持手段が装備されている請求項１〜４のいずれかに記載のごみ処理施設における救助装置。
【請求項６】
前記水平保持手段は、個別に長さ調節可能な複数の脚部を備えた請求項５に記載のごみ処理施設における救助装置。
【発明の詳細な説明】
【技術分野】
【０００１】
この発明は、ごみ処理施設におけるごみピット内に転落した作業員を救出する救助装置に関する。
【背景技術】
【０００２】
一般に、ごみ処理施設では、図１４に示すように、ごみ収集車停止用のプラットホーム１１の先端に位置して、ごみピット１の側壁１ａに複数のごみ投入口１２を並設して設けてあり、ごみ収集車が収集したごみを前記ごみ投入口１２からごみピット１内に投入し、ごみピット１内に堆積したごみをクレーン１４によりごみ焼却設備２におけるホッパー２１に搬送し、ホッパー２１からのごみを焼却炉（図示せず）で焼却処理するようになっている。
【０００３】
一方、前記ごみピットの側壁１ａには、前記クレーン１４を操作する操作室１５が設けられている。この操作室１５の窓は、ごみピット１内で舞い上がる塵埃に晒されるため、ごみピット１の側壁１ａ内面に敷設された走行レールに沿って移動する自動窓清掃装置により日常的に清掃されるようになっている。
【発明の開示】
【発明が解決しようとする課題】
【０００４】
ところで、前記ごみ投入口１２には、投入扉１３が装備されているものの、ごみ投入作業時、あるいはプラットホーム１１の清掃時に、作業者が誤ってごみ投入口１２からごみピット１内に転落する事故がないとは言えない。
【０００５】
しかしながら、既存のごみ処理施設では、そのような転落者の救助のための手段が予め設けられてはおらず、改善の余地があった。
【０００６】
この発明は、上記実情に鑑みてなされたものであり、ごみ投入口から誤ってごみピット内に転落した作業者を迅速かつ安全に救出できるごみ処理施設における救助装置を提供するものである。
【課題を解決するための手段】
【０００７】
本発明は、下記の手段を提供する。すなわち、
［１］ごみ収集車が停止するプラットホ−ムの先端に位置して、ごみピットの側壁に複数のごみ投入口が並設されているごみ処理施設における救助装置であって、
前記ごみピット内とごみピット外の救出領域との間で移動可能に配設された救助ケージを支持する救助ケージ支持手段と、
前記救助ケージを前記ごみピット内とごみピット外の救出領域との間で横移動させる救助ケージ横移動手段と、
前記救助ケージを昇降移動させる救助ケージ昇降駆動手段と、
を備えていることを特徴とするごみ処理施設における救助装置。
【０００８】
［２］救助ケージ支持手段および救助ケージ横移動手段は、前記ごみピット内とごみピット外の救出領域との間にわたる壁面近傍に敷設された走行レールと、前記走行レールに懸架された状態で自走移動可能な走行装置と、前記走行装置から前記救助ケージを吊持する索条体と、を備えたことを特徴とする前項１に記載のごみ処理施設における救助装置。
【０００９】
［３］前記救助ケージ昇降駆動手段は、前記救助ケージに装備され、前記索条体を巻き取りおよび巻き戻し可能な巻取装置を備えた前項２に記載のごみ処理施設における救助装置。
【００１０】
［４］前記走行レールは、前記ごみピット内を臨む操作室の窓を清掃する清掃装置を横移動させる清掃装置用走行レールとして共用される前項２または３に記載のごみ処理施設における救助装置。
【００１１】
［５］前記救助ケージには、前記ごみピット内のごみ堆積面に着地した際に前記救助ケージを水平状態に保持する水平保持手段が装備されている前項１〜４のいずれかに記載のごみ処理施設における救助装置。
【００１２】
［６］前記水平保持手段は、個別に長さ調節可能な複数の脚部を備えた前項５に記載のごみ処理施設における救助装置。
【発明の効果】
【００１３】
上記発明［１］によれば、万一ごみピット内に作業者が誤って転落した場合であっても、救助ケージを転落者の上方に横移動させ、そこから下降移動させてごみピット内のごみの堆積表面上に着地させることにより、救助ケージを転落者の至近位置まで迅速に到着させることができ、この救助ケージに転落者を収容してそのままごみピット内から所定の救出領域に帰還移動させることで、迅速かつ安全に転落者を救出することができる。
【００１４】
さらに、救助ケージが横移動可能であるから、複数の並設されているごみ投入口のいずれから転落した場合にも迅速な対応が可能である。
【００１５】
また、平常時には、前記救助ケージをごみピット外の所定の救出領域等に格納待機させておけるので、ごみピット内のクレーンの稼働に支障を来すおそれがない。
【００１６】
上記発明［２］によれば、救助ケージを吊持する走行装置を壁面に敷設した走行レールに懸架してあるので、ごみピットの内壁が曲面であっても、救助ケージをごみピットの内壁に沿って横移動させることができる。
【００１７】
上記発明［３］によれば、救助ケージを昇降移動させる巻き取り装置を救助ケージに装備したので、救助ケージに搭乗して救助現場近傍に居る救助者が現場の状況に応じて救助ケージの昇降動作を制御することができる。
【００１８】
上記発明［４］によれば、操作室の窓の清掃作業を日常的に行うために手入れが施される清掃装置用の走行レールを、前記救助ケージを吊持している走行装置の走行レールとして共用するため、救助装置のためだけのメンテナンス作業を省略しながら、走行装置の移動に関して高い信頼性を確保することができる。
【００１９】
上記発明［５］によれば、ごみ堆積面の凹凸や傾斜によらず救助ケージを水平に保って着地させることが可能であり、救助活動を円滑に行うことができる。
【００２０】
上記発明［６］によれば、水平保持手段が長さ調節可能な複数の脚部で構成されているから、構造が比較的簡単で作り易い。
【発明を実施するための最良の形態】
【００２１】
以下、この発明の実施形態を図面に基づいて説明する。
【００２２】
図１は、この発明の実施形態にかかるごみ処理施設における救助装置が適用されたごみ処理施設を示す平面図、図２は、同じくごみ処理施設を示す側面断面図、図３は、図２のＡ−Ａ矢視図である。
【００２３】
図１〜図３において、このごみ処理施設は、ごみピット１と、ごみ焼却設備２とを備えており、前記ごみピット１には、前記ごみ投入口１２から該ごみピット１内に転落した人を救出するための救助装置３が装備されている。
【００２４】
前記ごみピット１は、例えば、平面形状が長方形でコンクリート製の前後方向の側壁１ａ，１ｂおよび左右方向の側壁１ｃ，１ｄで囲まれた空間から構成されている。
【００２５】
ごみピット１の前部の側壁１ａには、ごみ収集車（図示せず）が停止するプラットホーム１１の先端に位置して、該ごみ収集車からのごみＭが投入される複数のごみ投入口１２が左右方向へ並設して設けられており、各ごみ投入口１２は、投入扉１３により開閉可能に構成されている。
【００２６】
前記ごみピット１の上部には、ごみピット１内に収容されたごみＭを焼却設備２側に移送する移送手段の一例として、ごみＭを掴むチャック部１４ａを有する天井（走行）クレーン１４が設置されている。
【００２７】
前記ごみピット１における前部の側壁１ａには、前記ごみ投入口１２よりも上方に位置して、クレーン１４を操作するための操作室１５が設けられており、この操作室１５の前側には、左右方向へ移動可能で、前記操作室１５の窓（図示せず）を清掃するための自動窓清掃装置１６が配備されている。この自動窓清掃装置１６は、操作室１５の上方に位置して、前記側壁１ａの内面に左右方向へ延びる走行レール１７に沿って走行するようになっている。
【００２８】
なお、この自動窓清掃装置１６は、前記操作室１５の窓に対して、例えば洗浄水などを噴射することで清掃するようになっている。
【００２９】
前記焼却設備２は、前記クレーン１４で搬送されたごみＭが投入されるホッパー２１を有し、このホッパー２１から供給されたごみＭを図示しない焼却炉で焼却処理するようになっている。
【００３０】
図４は、このごみ処理施設における救助装置の正面図、図５は、同じく救助装置の側面図、図６は、同じく救助装置における走行装置が走行レールに支持された状態を示す正面図、図７は、同じく救助装置における走行装置の側面断面図である。
【００３１】
前記救助装置３は、救助ケージ４と、救助ケージ支持部５と、救助ケージ横移動部６と、救助ケージ昇降駆動部７とを備えている。
【００３２】
前記救助ケージ４は、前記ごみピット１における側壁１ａの内側近傍で上下および左右へ移動可能に配設されており、救助員や転落者などが余裕をもって搭乗できる大きさに形成されている。
【００３３】
前記救助ケージ支持部５は、ごみピット１内とゴミピット外の救出領域Ｓとの間に配設されて、前記救助ケージ４を移動可能に支持するものであり、この例では、前記自動窓清掃装置１６が移動する走行レール１７を共用した構成となっている。
【００３４】
この走行レール１７には、救助ケージ４を吊持し、一部が走行レール１７と共に前記ケージ支持部５を構成している自走式の走行装置８が図６および図７に示すように取り付けられている。
【００３５】
この走行装置８の下端には、吊り下げ竿５１が固定されており、この吊り下げ竿５１の両端には、フック５３，５３を介して２本の索条体、例えばワイヤ５２，５２が着脱可能に取り付けられ、このワイヤ５２，５２の各下端に前記救助ケージ４が連結されている。
【００３６】
前記走行レール１７は、前記ごみピット１における前記側壁１ａの内面に対して、図５および図７に示すように、長手方向で一定間隔毎に配設された複数のレール支柱１８を介して固定されている。
【００３７】
このレール支柱１８は、例えば図７に示すように、前記側壁１ａの内面に当て板１８０を介して固定ボルト１８１により固定されて突出する固定金物１８ａと、この固定金物１８ａに対して、例えば長孔１８２と締め付けボルト１８３などにより突出量が調節できるように重合された可動金物１８ｂとからなり、前記走行レール１７の側壁１ａからの間隔を調整できるようになっている。これにより、前記側壁１ａに内面が湾曲している場合にも、これに対応して走行レール１７が敷設可能となる。
【００３８】
前記救助ケージ横移動部６は、前記救助ケージ４を前記側壁１ａの内面に沿って左右方向へ往復可能に移動させるものであり、前記走行装置８の一部ならびに前記走行レール１７に沿って配設されたチェーン６１などから構成されている。
【００３９】
なお、前記側壁１ａの内面近傍には、図４に示すように、前記走行レール１７に沿ってハンガーレール６２が配設されており、このハンガーレール６２には、前記走行装置８に対する電力供給線や制御線などを含むケーブル線６３などが支持されている。
【００４０】
前記走行装置８は、図７に示すように、前記走行レール１７上を走行するフランジ付き車輪８１ならびに前記チェーン６１に噛合する駆動スプロケット８２などが収容されたフレーム８３と、回転駆動装置としてフレーム８３に取り付けられたモータ８４とを備えている。
【００４１】
前記車輪８１は、車輪支承部材８５を介して前記フレーム８３の内側に固定されている。前記車輪支承部材８５には、前記走行レール１７の上部位置で両側面に転接する一対の水平ローラ８６，８６が回転自在に支持されており、また、フレーム８３の下面に上向きに固定されたローラ軸支部材８７には、前記走行レール１７の下部位置で両側面に転接する一対の水平ローラ８８，８８が回転自在に支持されており、これら上下の水平ローラ８６，８８により、走行装置８が横ぶれなく安定走行できるようになっている。
【００４２】
前記フレーム８３内には、上下一対の軸支部材８９，８９が固定されており、これら軸支部材８９，８９に回転自在に支承された回転軸９０に前記チェーン６１に噛合する駆動スプロケット８２が固定されている。
【００４３】
前記モータ８４には、減速機８４Ａが接続されており、その出力軸９１には、原動スプロケット９２が固定されている。この原動スプロケット９２と前記回転軸９０に固定された従動スプロケット９３との間には、チェーン伝導機構を構成する無端体９４が掛設されており、前記モータ８４により前記チェーン６１に噛合する駆動スプロケット８２が回転して走行装置８が横方向へ移動する。勿論、前記モータ８４は、正転／逆転可能であり、これにより、走行装置８が横方向へ往復移動可能に設定されている。
【００４４】
このように、救助ケージ４や走行装置８の重量を支持する車輪８１と、これらを横移動させるための駆動手段をなす前記チェーン６１と駆動スプロケット８２を使用する構成部分とが分けられているため、塵埃に晒されやすいごみピット１内の劣悪な環境下においても走行装置８のレール１７上の横移動動作について高い信頼性を確保することができるようになっている。
【００４５】
なお、走行装置８を横方向へ移動させる駆動手段は前記チェーン６１と駆動スプロケット８２を使用する構成に限らず、例えば帯状のラックとこのラックに噛合するピニオンを使用する構成、あるいはリニアモータを使用する構成などとしてもよい。
【００４６】
ところで、前記自動窓清掃装置１６用の走行レール１７は、塵埃が舞い上がる劣悪な環境下にあることから、日常的にメンテナンスが施されており、これを前記走行装置８の走行に利用したことにより、走行装置８の移動の信頼性が常時確保される。つまり、走行装置８の移動のための駆動系である駆動スプロケット８２と前記チェーン６１との噛合状態などのメンテナンスも必要であるが、それよりも重量物である救助ケージ４を支持している走行レール１７などのメンテナンスは一層重要視される。その自動窓清掃装置用として走行レール１７が日常的にメンテナンスされていることは、前記救助ケージ４の急な出動時に対して安全性が保証されることになる。
【００４７】
また、走行レール１７が自動窓清掃装置１６救助装置３との共用であるため、万一、自動窓清掃装置１６が何らかのトラブルにより走行レール１７上を自走できなくなって立ち往生してしまった場合であっても、救助装置３の走行装置８を向かわせ、所定の係合手段等を介して結合させることで、ごみピット１内に作業員が入ることなく、自動窓清掃装置１６を帰還させることも可能である。この際、フック５３とワイヤ５２の係合を解くことで救助ケージ４を走行装置８から取り外すことで、走行装置８を身軽に走行させることができる。
【００４８】
なお、この走行装置８の走行制御は、この例では、前記操作室１５において行うが、別の位置あるいは救助ケージ４に搭乗した救助者が遠隔操作することも可能である。
【００４９】
前記救助ケージ４には、例えば図４に示すように、左右両側に前記ワイヤ５２，５２に対する巻き取りおよび繰り出しが可能な巻き取り装置としての巻き取りドラム７１，７１や巻き取りガイド７２，７２などが装備されている。
【００５０】
前記救助ケージ昇降駆動部７は、前記救助ケージ４を昇降駆動するものであり、前記巻き取りドラム７１，７１などにより構成されている。
【００５１】
この救助ケージ４では、搭乗した救助員が操作して巻き取りドラム７１，７１からワイヤ５２，５２を繰り出すと、救助ケージ４が下降し、巻き取りドラム７１，７１にワイヤ５２，５２を巻き取ると、救助ケージ４が上昇するようになっている。勿論、巻き取りドラム７１，７１を救助ケージ４内に設けるものに限らず、走行装置８側でワイヤ５２，５２を巻き取り可能に構成することも可能である。
【００５２】
前記救助ケージ４の下面には、複数の車輪４１…が設けられている他に、ごみピット１内の堆積ごみＭの堆積面の凹凸に関係なく水平状態を維持して着地できるようにする水平保持手段として、下部の４隅に長さが調整可能な脚部４２が下向きにそれぞれ装備されている。
【００５３】
図８は、この救助装置の救助ケージがごみの堆積面に着地した状態を示す正面図、図９は、同じく救助装置の救助ケージがごみの堆積面に着地した状態を示す側面図である。
【００５４】
水平保持手段としての脚部４２は、例えば固定筒４２１と、この固定筒４２１にスライド可能に嵌合する可動スティック４２２と、回転操作で可動スティック４２２のスライド位置をロックする締め付けリング４２３とを備えている。
【００５５】
勿論、前記水平保持手段としては、上記のような脚部４２に限定されるものではなく、例えばパンタグラフ形などのように折り込み可能なものや、ジャッキ形のものなどが採用可能である。
【００５６】
さらに、救助ケージ４には、ごみＭの表面の高い位置に着地した場合でも、低い位置の転落者を容易に救助ケージ４に収容することができるように、剛性の梯子４３が出し入れ可能に格納されている。なお、救助ケージ４には、図８に示すように、救助者の安全確保のための柵４４や、救助時に開放される扉４５などが設けられている。
【００５７】
つぎに、上記構成の救助装置３の動作について説明する。
【００５８】
救助ケージ４は、平常時には、前記転落者救出領域Ｓに内に待機させてある。
【００５９】
前記プラットホーム１１に停止したごみ収集車のごみＭを作業者が前記ごみ投入口１２からごみピット１内に投入している時、あるいは前記プラットホーム１１上の清掃作業を行っている時に、作業者が前記ごみ投入口１２から誤ってごみピット１内に転落したとする。
【００６０】
まず、前記クレーン１４の稼働を直ちに停止した後、救助者は、前記救出領域Ｓに待機中の救助ケージ４に搭乗し、救助ケージ昇降駆動部７における巻き取りドラム７１にワイヤ５２を巻き込ませて、救助ケージ４を上昇させる。
【００６１】
救助ケージ４が図３に示す救出領域Ｓの天井床の開口Ｓａを通過すれば、前記走行装置８を駆動して、走行レール１７に沿ってごみピット１内に向けて（図３の右方向）走行させる。
【００６２】
具体的には、前記走行装置８におけるモータ８４を駆動すれば、駆動スプロケット８２がチェーン６１に噛合して回転することにより、走行装置８が移動し、これに伴って救助ケージ４がごみピット１内に移動する。
【００６３】
救助ケージ４がごみピット１内に移動し、転落者のほぼ上方位置まで至れば、救助者は、今度は、救助ケージ昇降駆動部７における巻き取りドラム７１からワイヤ５２を繰り出して、前記救助ケージ４を下降させる。
【００６４】
前記救助ケージ４が下降してごみピット１内に堆積したごみＭの堆積面上において、転落者の近くに着地すれば、救助者は、扉４５を開放してごみＭ上に降りて転落者を救助ケージ４内に収容できる。救助ケージ４内に転落者を収容できることから、ここで応急処置を施すことも可能である。
【００６５】
前記ごみピット１内に堆積したごみＭの堆積面の凹凸が激しかったり、急な斜面が存在している状況であれば、前記救助ケージ４における複数の脚部４２の長さを可変調節することにより、前記救助ケージ４を水平状態に保ったまま着地させることができる。これにより、着地した際の救助ケージ４が水平状態で安定的に保持させることができるので、前記凹凸に係わらず、救助作業を安全、かつ迅速に行うことができる。
【００６６】
また、転落者が救助ケージ４内に自力で乗ったり、救助者が収容したりする時に、必要に応じて梯子４３を下ろして救助作業を行うとよい。
【００６７】
転落者を救助ケージ４に収容した後、前記巻き取りドラム７１にワイヤ５２を巻き取らせて、救助ケージ４を上昇させ、さらに、前記走行装置８を救出領域Ｓ側に向けて（図３の左方向）へ移動させる。これに伴って移動した救助ケージ４が救出領域Ｓ内まで至ると、今度は、前記巻き取りドラム７１からワイヤ５２を繰り出して救助ケージ４を下降させて、救出領域Ｓ内の床に着地させて、転落者を救助ケージ４から下ろして本格的な処置を施すことができる。
【００６８】
このように、前記救助ケージ４を横移動および昇降移動させる比較的簡単な操作でごみピット１内の転落者至近位置まで迅速に到着できるとともに、転落者を救助ケージ４に収容して安全に救助できる。
【００６９】
この救助ケージ４が横移動可能であるから、複数の並設されているごみ投入口１２のいずれから転落した場合にも、一台の救助ケージ４により救出活動の迅速な対応が可能となる。
【００７０】
また、平常時には、前記救助ケージ４を前記救出領域Ｓに格納待機させておけるので、ごみピット１内のごみＭを搬送するクレーンの稼働に支障を来すおそれは全くない。
【００７１】
なお、救助ケージ４を前記ごみ投入口１２の前に引き上げて、転落者をごみ投入口１２を通して安全に確保できるようにすることも可能である。
【００７２】
図１０は、この発明の他の実施形態を示すごみ処理施設の平面図、図１１は、同じごみ処理施設の側面断面図であり、図１〜図３と同一もしくは相当部所には、同一符号を付してそれらの説明を省略する。
【００７３】
図１０およ図１１において、この例のごみ処理施設は、クレーン１４の操作室１５がごみ投入口１２の上方側ではなく、左右方向の壁１ｄからごみピット１内を臨む位置に設けられており、前記した自動窓清掃装置１６の走行レール１７も前記壁１ｂに沿って設けられている。
【００７４】
ここでは、前記走行装置８の走行レールとして、前記走行レール１７を利用できないから、ごみピット１の前記側壁１ａに沿って走行レール１７０を新設してある。
【００７５】
これにより、前記実施形態と同様に救助ケージ４を上下および左右方向の移動させながらごみピット１内のごみＭの表面に着陸することにより、ごみピット１内に転落した者を安全、かつ速やかに救助することができる。
【００７６】
ところで、上記各実施形態では、１台の走行装置８に設けた吊り下げ竿５１にワイヤ５２，５２を介して救助ケージ４を吊持したもので説明したが、図１２に示すように、２台の走行装置８をユニバーサルジョイント６４を有する連結棹６５により連結し、前記各走行装置８から垂設したワイヤ５２，５２により、救助ケージ４を吊持した構成であってもよい。
【００７７】
この場合、２つの走行装置８に対して救助ケージ４による荷重を分担させることができ、走行状態が無理なく行えるともに、救助ケージ４の横移動速度を上げることが可能となる。
【００７８】
また、この２台の走行装置８は、いずれか一方にのみ救助ケージ横移動部を構成する駆動スプロケットやモータ等を装備し、他方は一方の横移動に連結棹６５を介して従動するようにしてもよい。
【００７９】
また、図１３に示すように、救助ケージ４等の重量を支持する一対の吊り下げ装置９５，９５と、これらの間にあって救助ケージ横移動部として機能する横駆動装置９６とを連結棹９７によって連結して走行装置８’を構成してもよい。各吊り下げ装置９５は、走行レール１７上を走行する車輪８１等を備え、ワイヤ５２，５２により救助ケージ４を吊持する。一方、横駆動装置９６は、チェーン６１に噛合する駆動スプロケット（図示せず）や回転駆動装置としてのモータ８４を備え、連結棹９７，９７を介して一対の吊り下げ装置９５，９５とともに走行レール１７上を自走するようになっている。
【００８０】
この構成によると、横駆動装置９６のみがチェーン６１と噛合しているので、走行レール１７が屈曲している部分で吊り下げ装置９５，９５の間隔が若干変化した場合であってもチェーン６１に過剰な負荷を与えることなく、円滑に走行させることができる。
【００８１】
また、前記各実施形態では、救助ケージ４を吊持した走行装置８が自走式のもので説明したが、この走行装置８が自走機能を持たない構成、つまり、外部と走行装置８とを索条体で繋ぎ、この索条体を外部もしくは走行装置８内で巻き取って該走行装置８を横移動させたり、あるいは、ごみピット１内とごみピット１外との間に配備した旋回する無端体に前記ワイヤ５２を介して前記救助ケージ４を吊持する構成など、種々の変形手段の採用が可能である。
【図面の簡単な説明】
【００８２】
【図１】この発明の実施形態にかかるごみ処理施設における救助装置が適用されたごみ処理施設を示す平面図である。
【図２】同じくごみ処理施設を示す側面断面図である。
【図３】図２のＡ−Ａ矢視図である。
【図４】同じくごみ処理施設における救助装置の正面図である。
【図５】同じく救助装置の側面図である。
【図６】同じく救助装置における走行装置が走行レールに支持された状態を示す正面図である。
【図７】同じく救助装置における走行装置の側面断面図である。
【図８】同じく救助装置の救助ケージがごみの堆積面に着地した状態を示す正面図である。
【図９】同じく救助装置の救助ケージがごみの堆積面に着地した状態を示す側面図である。
【図１０】この発明の他の実施形態におけるごみ処理施設を示す平面図である。
【図１１】同じくごみ処理施設を示す側面断面図である。
【図１２】走行装置が走行レールに支持された状態を示す正面図である。
【図１３】この発明のさらに他の実施形態において走行装置が走行レールに支持された状態を示す正面図である。
【図１４】一般のごみ処理施設の概要を示す側面断面図である。
【符号の説明】
【００８３】
１  ごみピット
１ａ  ごみピットの側壁
３  救助装置
４  救助ケージ
５  救助ケージ支持手段
６  救助ケージ横移動手段
７  救助ケージ昇降駆動手段
８  走行装置
１１  プラットホーム
１２  ごみ投入口
１５  操作室
１６  自動窓清掃装置
１７，１７０  走行レール
４２  水平保持手段（脚部）
５２  索条体
７１  巻き取り装置
Ｓ  救助領域
【図１】
2006006799.tif 000003
【図２】
2006006799.tif 000004
【図３】
2006006799.tif 000005
【図４】
2006006799.tif 000006
【図５】
2006006799.tif 000007
【図６】
2006006799.tif 000008
【図７】
2006006799.tif 000009
【図８】
2006006799.tif 000010
【図９】
2006006799.tif 000011
【図１０】
2006006799.tif 000012
【図１１】
2006006799.tif 000013
【図１２】
2006006799.tif 000014
【図１３】
2006006799.tif 000015
【図１４】
2006006799.tif 000016